(57)【要約】【課題】排気中に還元剤を良好に拡散させる。【解決手段】混合装置の接続部は、上流管と下流管を接続し、内燃機関からの排気が流下する。また、混合装置の注入部は、還元剤を注入するために接続部に設けられた孔部を有する。接続部は、湾曲経路に沿って延び、排気の流路として、上流領域と下流領域とを有する。上流領域は、上流管の端部をなす上流側開口に対面し、下流領域は、下流管の端部をなす下流側開口に対面する。そして、注入部の孔部は、接続部における、下流領域を覆う部分、又は、排気の流路における下流領域よりも下流側の領域を覆う部分に位置する。【選択図】図１
2019120197.tif 000002
【特許請求の範囲】
【請求項１】
上流管から流下する内燃機関からの排気を、前記排気を浄化するための還元剤と混合した後、浄化装置が設けられた下流管に向けて流下させる混合装置であって、
前記混合装置は、
前記上流管と前記下流管とを接続する部位であって、前記上流管に繋がる上流壁面と、前記下流管に繋がり、前記上流壁面に対面する下流壁面と、前記上流壁面と前記下流壁面との間に位置する前記排気の流路と、を有する部位である接続部と、
前記還元剤を注入するために前記接続部に設けられた孔部を有する注入部と、
を備え、
前記接続部は、前記排気の流路として、
前記上流管の下流側の端部をなす上流側開口に対面する領域である上流領域と、
前記下流管の上流側の端部をなす下流側開口に対面する領域である下流領域と、
を有し、
前記上流側開口の中心を通過し、前記上流側開口が向かう向きに延びる線を、上流側中心線とし、
前記下流側開口の中心を通過し、前記下流側開口が向かう向きに延びる線を、下流側中心線とし、
前記上流側中心線と前記下流側中心線との両方に交差し、前記上流側中心線の側方に向かって広がる平面を、交差面とし、
前記接続部は、前記交差面上の湾曲経路に沿って延びるように構成され、
前記孔部は、前記接続部における、前記下流領域を覆う部分、又は、前記排気の流路における前記下流領域よりも下流側の領域を覆う部分に位置する
混合装置。
【請求項２】
請求項１に記載された混合装置において、
前記接続部は、前記上流領域から前記下流領域にわたってＵ字状又はＶ字状に湾曲する
混合装置。
【請求項３】
請求項２に記載された混合装置において、
前記接続部は、前記上流壁面と前記下流壁面とに繋がっており、前記湾曲における内周側に位置する内周側側面と、前記湾曲における外周側に位置する外周側側面とを有する側壁を有し、
前記内周側側面のうち、最も前記外周側へ位置する部分を、ピーク部とし、
前記上流側開口の中心と前記下流側開口の中心とを結ぶ直線の向きを、並び方向とし、
前記並び方向へ広がり、且つ、前記上流側中心線を通る平面を基準面とし、
前記接続部は、前記ピーク部が、前記基準面上、又は、前記基準面よりも前記外周側に位置するよう構成されている
混合装置
【請求項４】
請求項１から請求項３のうちいずれ１項に記載された混合装置において、
前記接続部は、前記排気の流路として、前記下流領域の下流側に隣接する突出領域をさらに有し、
前記孔部は、前記接続部における前記突出領域を覆う部分に設けられる
混合装置
【請求項５】
請求項１から請求項４のうちのいずれか１項に記載された混合装置において、
前記接続部は、前記上流領域から、前記上流側中心線に直交又は略直交する方向に延びる
混合装置。
【請求項６】
請求項１から請求項５のうちのいずれか１項に記載された混合装置において、
前記接続部は、前記下流領域から、前記下流側中心線に直交又は略直交する方向に延びる
混合装置。
【請求項７】
請求項１から請求項６のうちのいずれか１項に記載された混合装置において、
前記上流側中心線と前記下流側中心線とは、同一又は略同一方向に延びる
混合装置。
【発明の詳細な説明】
【技術分野】
【０００１】
本開示は、車両の内燃機関からの排気を浄化装置にて浄化するため、排気と還元剤とを混合させる混合装置に関する。
【背景技術】
【０００２】
尿素ＳＣＲシステムにより排気を浄化するため、排気管の内部に還元剤を注入する技術が知られている。例えば、特許文献１の排気システムでは、排気管内部に排気の流下方向と交差するように還流板が配置され、還流板に沿って還元剤が噴射される。これにより、還流板の下流側に生じた渦により還元剤の液滴が小さくなり、還元剤の蒸発が促進される。
【先行技術文献】
【特許文献】
【０００３】
【特許文献１】特許第５７９１５６９号公報
【発明の概要】
【発明が解決しようとする課題】
【０００４】
しかしながら、特許文献１の技術では、還元剤の蒸発が促進されるものの、排気中に還元剤を良好に拡散させることはできなかった。
排気中に還元剤を良好に拡散させることが望ましい。
【課題を解決するための手段】
【０００５】
本開示の一態様は、上流管から流下する内燃機関からの排気を、排気を浄化するための還元剤と混合した後、浄化装置が設けられた下流管に向けて流下させる混合装置である。混合装置は、接続部と、注入部と、を備える。接続部は、上流管と下流管とを接続する部位であり、上流壁面と、下流壁面と、排気の流路とを有する部位である。上流壁面は、上流管に繋がる。また、下流壁面は、下流管に繋がり、上流壁面に対面する。また、排気の流路は、上流壁面と下流壁面との間に位置する。また、注入部は、還元剤を注入するために接続部に設けられた孔部を有する。また、接続部は、排気の流路として、上流領域と、下流領域と、を有する。上流領域は、上流管の下流側の端部をなす上流側開口に対面する領域である。また、下流領域は、下流管の上流側の端部をなす下流側開口に対面する領域である。
【０００６】
ここで、上流側開口の中心を通過し、上流側開口が向かう向きに延びる線を、上流側中心線とする。また、下流側開口の中心を通過し、下流側開口が向かう向きに延びる線を、下流側中心線とする。上流管及び下流管は、上流側中心線と下流側中心線とが、同一又は略同一方向に延び、且つ、上流側開口及び下流側開口を通過する排気が、同一又は略同一方向に流下するよう構成されている。また、上流側中心線と下流側中心線との両方に交差し、上流側中心線の側方に向かって広がる平面を、交差面とする。接続部は、交差面上の湾曲経路に沿って延びるように構成される。そして、孔部は、接続部における、下流領域を覆う部分、又は、排気の流路における下流領域よりも下流側の領域を覆う部分に位置する。
【０００７】
このような構成によれば、上流管から接続部に流入した排気は、上流領域から流出する際に流下方向が大幅に変化し、排気の流れに偏りが生じる。そして、接続部は湾曲している。このため、上流領域から流出した排気は、接続部の湾曲に沿って流れることで、偏りを有した状態で旋回する向きに流れ、下流領域に流入する。その後、下流領域に流入した排気が下流側開口に向かう際に、再び排気の流下方向が大幅に変化し、排気の流れにさらに偏りが生じる。この時、排気の旋回流が維持されており、排気は、流下方向と交差する向きに旋回しながら下流管を流下する。
【０００８】
つまり、注入部の孔部から注入された還元剤と接続部を流下する排気とを混合させる際、排気の流れに偏りを与えつつ、排気の旋回流を生じさせることが可能となる。そして、排気は、旋回しながら浄化装置に向かって流下する。
【０００９】
さらに、孔部は、接続部において下流領域を覆う部分、又は、接続部において下流領域よりも下流側の領域を覆う部分に位置するため、接続部を流下する排気の旋回流に向けて還元剤が注入される。このため、流れに偏りが生じ、且つ、旋回流となった排気に対し還元剤が注入される。
【００１０】
したがって、排気中に還元剤を良好に拡散させることができる。
本開示の一態様では、接続部は、上流領域から下流領域にわたってＵ字状又はＶ字状に湾曲してもよい。
【００１１】
このような構成によれば、排気の流れが一方に偏り、排気の旋回を促すことができる。したがって、より一層、排気中に還元剤を良好に拡散させることができる。
本開示の一態様では、接続部は、側壁を有しても良い。側壁は、上流壁面と下流壁面とに繋がっており、湾曲における内周側に位置する内周側側面と、湾曲における外周側に位置する外周側側面とを有する。ここで、内周側側面のうち、最も外周側へ位置する部分をピーク部とする。また、上流側開口の中心と下流側開口の中心とを結ぶ直線の向きを、並び方向とする。また、並び方向へ広がり、且つ、上流側中心線を通る平面を基準面とする。接続部は、ピーク部が、基準面上、又は、基準面よりも外周側に位置するよう構成されていても良い。
【００１２】
このような構成によれば、接続部に十分な曲率を持たせることができ、接続部において排気をより急激に旋回させることができる。これにより、より一層、排気中に還元剤を拡散させることができる。
【００１３】
本開示の一態様は、接続部は、排気の流路として、下流領域の下流側に隣接する突出領域をさらに有してもよい。そして、孔部は、接続部における突出領域を覆う部分に設けられてもよい。
【００１４】
このような構成によれば、注入部から注入された還元剤は、突出領域を覆う接続部の内壁に衝突し、これにより、還元剤の微細化が促進される。また、旋回流となった排気が突出領域に流入し、微細化された還元剤が旋回流となった排気に巻き込まれる。これにより、より一層、排気中に還元剤を拡散させることができる。
【００１５】
本開示の一態様では、接続部は、上流領域から、上流側中心線に直交又は略直交する方向に延びても良い。
このような構成によれば、排気が上流領域から流出する際に、排気の流下方向を急激に変化させることができ、これにより、より良好に排気の流れに偏りが生じる。このため、より一層、排気中に還元剤を拡散させることができる。
【００１６】
本開示の一態様では、接続部は、下流領域から、下流側中心線に直交又は略直交する方向に延びても良い。
このような構成によれば、下流領域にて排気が下流側出口に流入する際に、排気の流下方向を急激に変化させることができ、これにより、より良好に排気の流れに偏りが生じる。このため、より一層、排気中に還元剤を拡散させることができる。
【００１７】
本開示の一態様では、上流側中心線と下流側中心線とは、同一又は略同一方向に延びても良い。
このような構成によれば、上流側開口及び下流側開口を通過する排気を、同一又は略同一方向に流下させることができる。このため、上流管から流下する排気と、下流管へ流下する排気とを、同様の方向へ流下させることができる。したがって、上流管から流下する排気と下流管へ流下する排気とが異なる方向に流下する場合に比べ、圧損を抑制できる。
【図面の簡単な説明】
【００１８】
【図１】図１は、第１実施形態の混合装置、上流管、及び、下流管の斜視図である。
【図２】図２は、第１実施形態の混合装置、上流管、及び、下流管の側面図である。
【図３】図３は、第１実施形態の混合装置を上流側から見た正面図である。
【図４】図４は、第２実施形態の混合装置、上流管、及び、下流管の斜視図である。
【図５】図５は、第２実施形態の混合装置を上流側から見た正面図である。
【図６】図６は、第３実施形態の混合装置、上流管、及び、下流管の斜視図である。
【図７】図７は、第３実施形態の混合装置、上流管、及び、下流管の側面図である。
【図８】図８は、第４実施形態の混合装置、上流管、及び、下流管の斜視図である。
【図９】図９は、第４実施形態の混合装置を上流側から見た正面図である。
【図１０】図１０は、他の実施形態の混合装置、上流管、及び、下流管の側面図である。
【発明を実施するための形態】
【００１９】
以下、本開示の実施形態について図面を用いて説明する。なお、本開示の実施の形態は、下記の実施形態に何ら限定されることはなく、本開示の技術的範囲に属する限り種々の形態を採りうる。
【００２０】
［第１実施形態］
［構成の説明］
図１，２，３の第１実施形態の混合装置１は、ＳＣＲ触媒（Selective Catalytic Reduction）４１を備える浄化装置４０により、車両の内燃機関（一例として、ディーゼルエンジン）の排気中のＮＯｘを還元する尿素ＳＣＲシステムの一部を構成する。混合装置１は、上流管３から流下する排気と、ＳＣＲ触媒４１により排気を浄化させるための還元剤（例えば、尿素水）とを混合する。そして、混合装置１は、還元剤と混合された排気を、浄化装置４０が設けられた下流管４に向けて流下させる。上流管３、混合装置１、及び、下流管４は、車両の排気流路の一部を構成する。以後、排気の流下方向の上流側を単に上流側と記載し、該流下方向の下流側を単に下流側と記載する。
【００２１】
第１実施形態では、上流管３における下流側の端部を含む終端区間３１は、直線状に延び、円筒状となっている。そして、図３のように、上流管３の下流側の端部の開口である上流側開口３０は、円形となっている。
【００２２】
また、下流管４における上流側の端部を含む区間である始端区間４２は、直線状に延び、円筒状となっている。そして、始端区間４２の上流側の端部の開口である下流側開口４３は、円形となっている。また、始端区間４２の下流側の端部が、浄化装置４０に接続されている。浄化装置４０は、テーパ部４０ａ及び本体部４０ｂを有する。本体部４０ｂは、ＳＣＲ触媒４１が配置され、始端区間４２よりも径が大きい。また、テーパ部４０ａは、テーパ状であり、本体部４０ｂと始端区間４２とを接続する。
【００２３】
なお、上流管３の終端区間３１、及び／又は、下流管４の始端区間４２は、例えば、曲がっていても良いし、断面が円形以外の管状の部材であっても良い。また、上流側開口３０及び／又は下流側開口４３は、円形に限らず、例えば、楕円形状であっても良いし、多角形状であっても良い。
【００２４】
ここで、上流側開口３０の中心を通過し、上流側開口３０が向かう向きに延びる線を、上流側中心線３０ａとする。また、下流側開口４３の中心を通過し、下流側開口４３が向かう向きに延びる線を、下流側中心線４３ａとする。また、上流側開口３０を含む平面により隔てられる２つの空間の一方を上流空間とし、他方を下流空間とする。上流空間は、上流側開口３０の上流側に位置し、下流空間は、上流側開口３０の下流側に位置する。
【００２５】
本実施形態では、上流管３及び下流管４は、上流側開口３０と下流側開口４３とが対面せず、且つ、下流側開口４３が下流空間に位置する状態で配置される。また、下流管４は、下流空間に位置する状態で配置される。さらに、上流管３及び下流管４は、上流側中心線３０ａの向きと下流側中心線４３ａの向きとが、同一又は略同一となるように配置される。また、上流側開口３０及び下流側開口４３を通過する排気は、同一又は略同一方向に流下する。
【００２６】
混合装置１は、接続部１０と、注入部２とを備える。
接続部１０は、上流管３の上流側開口３０と、下流管４の下流側開口４３とを接続する継手状の部位である。図１，２，３のように、接続部１０は、上流壁面１０ａ、下流壁面１０ｂ、及び、側壁１０ｃ等から構成されている。上流壁面１０ａは、上流管３に繋がり、下流壁面１０ｂは、下流管４に繋がる。また、側壁１０ｃは、上流壁面１０ａと下流壁面１０ｂとに繋がっている。換言すれば、接続部１０は、上流壁面１０ａ、下流壁面１０ｂ、及び、側壁１０ｃに囲まれた排気の流路を構成する。また、接続部１０は、排気の流路の一部として、上流領域１２と、下流領域１３と、突出領域１５とを有する。
【００２７】
上流領域１２は、上流側開口３０に対面する領域である。また、下流領域１３は、下流側開口４３に対面する領域である。上流領域１２及び下流領域１３は、円柱状の領域となっている。また、接続部１０の排気の流路は、上流領域１２と下流領域１３とを繋ぐ部分を有する。接続部１０の排気の流路における上流側開口３０に沿った方向に延びる幅は、上流側開口３０の径以上となっている。
【００２８】
上流側中心線３０ａと下流側中心線４３ａとの両方に交差する平面であって、上流側中心線３０ａの側方に向かって広がる平面を、交差面１１とする。本実施形態では、一例として、交差面１１は、上流側中心線３０ａに直交又は略直交する。接続部１０は、交差面１１上の湾曲経路に沿って延びる。一例として、接続部１０は、上流領域１２から下流領域１３にわたってＵ字状に湾曲している。より詳しくは、接続部１０の排気の流路は、交差面１１上の経路であって、その始端から終端にわたってＵ字状に延びる経路に沿って延びる。なお、接続部１０は、上流領域１２から下流領域１３にわたってＶ字状に湾曲していていも良い。また、接続部１０は、上流領域１２の側面から第１側面方向１６に延びる。また、接続部１０は、下流領域１３の側面から第２側面方向１７に延びる。
【００２９】
なお、上流領域１２の側面とは、円柱状の領域である上流領域１２のうち、上流側中心線３０ａに沿って延びる円柱の側面部分である。また、下流領域１３の側面とは、円柱状の領域である下流領域１３のうち、下流側中心線４３ａに沿って延びる円柱の側面部分である。
【００３０】
また、第１側面方向１６とは、上流側中心線３０ａから上流側中心線３０ａの側方に向かう方向である。第１実施形態では、一例として、第１側面方向１６は、上流側中心線３０ａに直交又は略直交する方向となっている。換言すれば、第１側面方向１６は、円形の上流側開口３０の接線と同一又は略同一方向となる。しかし、第１側面方向１６は、上流側又は下流側に傾いていても良い。
【００３１】
また、第２側面方向１７とは、下流側中心線４３ａから下流側中心線４３ａの側方に向かう方向である。第１実施形態では、一例として、第２側面方向１７は、下流側中心線４３ａに直交又は略直交する方向となっている。換言すれば、第２側面方向１７は、円形の下流側開口４３の接線と同一又は略同一方向となる。しかし、第２側面方向１７は、上流側又は下流側に傾いていても良い。
【００３２】
また、突出領域１５は、下流領域１３の下流側に隣接する。より詳しくは、突出領域１５は、上流壁面１０ａ、下流壁面１０ｂ、及び、側壁１０ｃに囲まれる領域であり、下流領域１３から、第２側面方向１７の反対方向に突出する領域である。
【００３３】
上流壁面１０ａと下流壁面１０ｂとは、平板状の部位であり、Ｕ字状に延びる。上流壁面１０ａは、接続部１０の排気の流路を上流管３が位置する側から覆い、下流壁面１０ｂは、接続部１０の排気の流路を下流管４が位置する側から覆う。つまり、上流壁面１０ａと下流壁面１０ｂとは、対面した状態で配置される。また、上流壁面１０ａと下流壁面１０ｂとは、平行又は略平行に配置される。このため、上流壁面１０ａと下流壁面１０ｂとは、上流側中心線３０ａ及び下流側中心線４３ａに対し、直交又は略直交する向きに延びる。
【００３４】
そして、上流壁面１０ａの一端には、上流側開口３０に接続される入口が設けられる。また、上流壁面１０ａの他端には、後述する注入部２を構成する孔部２０が設けられる。また、下流壁面１０ｂは、下流側開口４３に接続される出口が設けられる。また、下流壁面１０ｂは、出口からさらに下流側に延びる。
【００３５】
また、側壁１０ｃは、上流壁面１０ａの縁部と下流壁面１０ｂの縁部とを繋ぐ板状の部位である。側壁１０ｃは、角を有した状態で、上流壁面１０ａ及び下流壁面１０ｂと繋がっている。つまり、接続部１０は、上流管３及び下流管４の側方から見ると（以後、側面視）、上流管３及び下流管４に対し屈曲するように延びる。換言すれば、接続部１０における排気の流路は、上流領域１２と下流領域１３とで屈曲している。
【００３６】
また、上流壁面１０ａ、下流壁面１０ｂ、及び、側壁１０ｃにおける排気の流路に当接する部分を、内壁とする。
一方、注入部２は、還元剤を排気の流路に注入するためのインジェクタ（図示無し）が取り付けられる部位である。注入部２は、接続部１０における突出領域１５を覆う部分に設けられる。より詳しくは、注入部２は、上流壁面１０ａの突出領域１５を覆う部分に設けられる。なお、注入部２は、下流壁面１０ｂ又は側壁１０ｃの突出領域１５を覆う部分に設けられてもよい。
【００３７】
注入部２は、接続部１０の排気の流路と外部とを繋ぐよう、接続部１０に設けられた孔部２０を有する。孔部２０は、還元剤を外部から接続部１０の排気の流路に注入するために用いられる。注入部２は、孔部２０の縁部に沿って配置され、上流壁面１０ａから突出する円筒状の部位である。そして、インジェクタは、孔部２０を介して接続部１０の排気の流路に向けて還元剤を噴射する。これにより、還元剤が接続部１０の排気の流路に注入される。
【００３８】
注入部２の孔部２０は、上流壁面１０ａの突出領域１５を覆う部分に設けられる。また、孔部２０の中心を通過し、孔部２０の向きに延びる線を孔部の中心線としたとき、該中心線は、下流側中心線４３ａの向きと同一又は略同一の方向を向いている。しかし、孔部２０は、例えば、下流壁面１０ｂ又は側壁１０ｃの突出領域１５を覆う部分に設けられても良い。
【００３９】
ここで、上流側開口３０の中心と下流側開口４３の中心とを結ぶ直線の向きを、並び方向とする。また、並び方向に広がり、且つ、上流側中心線３０ａを含む平面を、基準面３０ｂとする。
【００４０】
また、側壁１０ｃのうち、接続部１０の湾曲の内周側に位置する部分を内周側側面１０ｃ−２とし、外周側に位置する部分を外周側側面１０ｃ−１とする。また、内周側側面１０ｃ−２のうち、最も、外周側に位置する部分を、ピーク部１４とする。より詳しくは、接続部１０における内周側側面１０ｃ−２に沿って排気の流下方向に延びる経路を、内周側経路とする。内周側経路において、最も外周側に位置する部分が、ピーク部１４に含まれる。換言すれば、内周側経路において、内周側経路の両端を結ぶ直線から最も離れた位置が、ピーク部１４に含まれる。
【００４１】
第１実施形態では、接続部１０は、ピーク部１４が、基準面３０ｂ上に位置するよう構成されている。なお、接続部１０は、ピーク部１４が、基準面３０ｂよりも外周側に位置するよう構成されていても良い。また、例えば、接続部１０は、内周側側面１０ｃ−２の中間部分が、全て、基準面３０ｂ上、又は、基準面３０ｂよりも外周側に位置するよう構成されていても良い。なお、中間部分とは、内周側側面１０ｃ−２における、接続部１０の排気の流路の上流領域１２と下流領域１３とを繋ぐ部分を覆う部分である。
【００４２】
［効果］
（１）第１実施形態の混合装置１によれば、上流管３から接続部１０に流入した排気は、上流領域１２から流出する際に流下方向が大幅に変化し、排気の流れに偏りが生じる。そして、接続部１０は湾曲している。このため、上流領域１２に流入した排気は、接続部１０の湾曲に沿って流れることで、偏りを有した状態で旋回する向きに流れ、下流領域１３に流入する。その後、下流領域１３に流入した排気が下流側開口４３に向かう際に、再び排気の流下方向が大幅に変化し、排気の流れにさらに偏りが生じる。この時、排気の旋回流が維持されており、排気は、流下方向と交差する向きに旋回しながら下流管４を流下する。
【００４３】
つまり、注入部２の孔部２０から注入された還元剤と接続部１０を流下する排気とを混合させる際、排気の流れに偏りを与えつつ、排気の旋回流を生じさせることが可能となる。そして、排気は、旋回しながら浄化装置４０に向かって流下する。これにより、排気中に還元剤を良好に拡散させることができる。
【００４４】
また、上流側開口３０及び下流側開口４３を通過する排気は、同一又は略同一方向に流下する。このため、上流管３から流下する排気と、下流管４へ流下する排気とが、同様の方向へ流れる。したがって、上流管３から流下する排気と下流管４へ流下する排気とが、異なる方向へ流れるのに比べ、圧損を下げつつ、排気中に還元剤を良好に拡散させることができる。
【００４５】
また、孔部２０は、上流壁面１０ａにおける突出領域１５を覆う部分に位置し、接続部１０を流下する排気の旋回流に向けて還元剤が注入される。このため、流れに偏りが生じ、且つ、旋回流となった排気に対し還元剤が注入される。したがって、排気中に還元剤を良好に拡散させることができる。
【００４６】
（２）また、接続部１０は、上流領域１２から下流領域１３にわたってU字状に湾曲している。このため、排気の流れが一方に偏り、旋回を大きくすることができる。したがって、排気中に還元剤を良好に拡散させることができる。
【００４７】
（３）また、接続部１０は、ピーク部１４が、基準面３０ｂよりも外周側に位置するよう構成されている。このため、接続部１０に十分な曲率を持たせることができ、排気をより急激に旋回させることができる。これにより、より一層、排気中に還元剤を拡散させることができる。
【００４８】
（４）また、孔部２０は、上流壁面１０ａにおける突出領域１５を覆う部分に設けられる。このため、注入部２から注入された還元剤は、接続部１０の内壁に衝突し、これにより、還元剤の微細化が促進される。また、旋回流となった排気は、還元剤の注入方向の側方から突出領域１５に流入し、微細化された還元剤が旋回流となった排気に巻き込まれる。これにより、より一層、排気中に還元剤を拡散させることができる。
【００４９】
（５）また、接続部１０は、上流領域１２から、上流側中心線３０ａに直交又は略直交する方向に延びると共に、下流領域１３から、下流側中心線４３ａに直交又は略直交する方向に延びる。これにより、排気が上流領域から流出する際と、下流領域にて排気が下流側出口に流入する際とに、排気の流下方向を急激に変化させることができる。このため、より良好に排気の流れに偏りが生じ、その結果、より一層、排気中に還元剤を拡散させることができる。
【００５０】
［第２実施形態］
図４，５における第２実施形態の混合装置１は、第１実施形態と同様の構成を有している。しかし、第２実施形態の混合装置１は、接続部１０の構成と注入部２の位置とにおいて第１実施形態と相違する。
【００５１】
すなわち、第２実施形態では、接続部１０は、上流領域１２と、下流領域１３とを有し、突出領域１５を有さない。このため、第２実施形態の接続部１０の上流壁面１０ａ及び下流壁面１０ｂは、第１実施形態と同様にＵ字状に延びるものの、長さが第１実施形態よりも短くなっている。また、下流壁面１０ｂの他端に、下流側開口４３に接続される出口が設けられる。
【００５２】
また、第２実施形態では、注入部２は、接続部１０における下流領域１３を覆う部分に設けられる。より詳しくは、注入部２の孔部２０は、接続部１０の上流壁面１０ａにおける下流領域１３を覆う部分に設けられる。孔部２０は、下流側開口４３に対面し、孔部２０の中心を通過し、孔部２０の向きに延びる線を孔部の中心線としたとき、該中心線は、下流側中心線４３ａの向きと同一又は略同一の方向を向いている。しかし、孔部２０は、例えば、接続部１０の側壁１０ｃにおける下流領域１３を覆う部分に設けられても良い。
【００５３】
［効果］
第２実施形態の混合装置１においても、第１実施形態と同様の効果が得られる。
また、接続部１０は、第１実施形態と同様にＵ字状に延びるものの、長さが第１実施形態よりも短くなっているため、インジェクタの配置に伴うレイアウトの最適化ができる。
【００５４】
［第３実施形態］
図６，７における第３実施形態の混合装置１は、第２実施形態と同様の構成を有している。しかし、第３実施形態の混合装置１は、上流側中心線３０ａ及び下流側中心線４３ａに対する接続部１０の向きが、第２実施形態と相違する。
【００５５】
すなわち、第３実施形態においても、接続部１０は、上流領域１２から第１側面方向１６に延びると共に、下流領域１３から第２側面方向１７に延びる。しかし、第２実施形態では、第１側面方向１６は、上流側中心線３０ａに直交又は略直交する方向となっているが、第３実施形態では、第１側面方向１６は、上流側中心線３０ａに直交する線に対し、Ｘ°下流側に傾いた方向となっている。換言すれば、接続部１０は、上流側中心線３０ａに対しＸ°下流側に傾いた交差面１１上の湾曲経路に沿って延びる。また、第２実施形態では、第２側面方向１７は、下流側中心線４３ａに直交又は略直交する方向となっているが、第３実施形態では、第２側面方向１７は、下流側中心線４３ａに直交する線に対し、Ｙ°上流側に傾いた方向となっている。
【００５６】
なお、Ｘ°及びＹ°は、予め定められた角度であり、Ｘ°とＹ°は、同一又は略同一の角度であっても良い。また、第１側面方向１６及び第２側面方向１７のうちの一方のみが、第２実施形態と異なる方向となっていても良い。
【００５７】
このため、第３実施形態では、接続部１０の上流壁面１０ａ及び下流壁面１０ｂは、上流側中心線３０ａに直交する線に対しＸ°下流側に傾いた状態となる。また、上流壁面１０ａ及び下流壁面１０ｂは、下流側中心線４３ａに直交する線に対し、Ｙ°上流側に傾いた状態となる。
【００５８】
また、第３実施形態の接続部１０は、傾きを形成するため、入口接続部１０ｅと出口接続部１０ｆとを有する。入口接続部１０ｅは、上流壁面１０ａの一端から突出する円筒状の部位である。入口接続部１０ｅの一端をなす開口が、上流側開口３０に接続される。また、出口接続部１０ｆは、下流壁面１０ｂの他端から突出する円筒状の部位である。出口接続部１０ｆの一端をなす開口が、下流側開口４３に接続される。
【００５９】
［効果］
第３実施形態の混合装置１においても、第１，第２実施形態と同様の効果が得られる。
また、接続部１０が傾いているため、排気が接続部１０を流下する際の圧損を抑制できる。
【００６０】
［第４実施形態］
図８，９における第４実施形態の混合装置１は、第２実施形態と同様の構成を有している。しかし、第４実施形態の混合装置１は、接続部１０の形状が、第２実施形態と相違する。
【００６１】
第４実施形態では、接続部１０は、上流領域１２から下流領域１３にわたってＶ字状に湾曲している。より詳しくは、接続部１０の外周側側面１０ｃ−１は、Ｖ字状に湾曲した部分を含み、内周側側面１０ｃ−２の上述した中間部分は、直線状に延びる。また、接続部１０の排気の流路は、上流側開口３０に沿った幅が、上流側開口３０の径よりも狭い部分を有する。
【００６２】
また、接続部１０の内周側側面１０ｃ−２の中間部分は、基準面３０ｂに沿って延びる。また、接続部１０のピーク部１４は、基準面３０ｂ上に位置する。なお、ピーク部１４は、基準面３０ｂよりも外周側に位置しても良い。
【００６３】
このため、第４実施形態の接続部１０の上流壁面１０ａ及び下流壁面１０ｂは、Ｖ字状に湾曲している。また、上流壁面１０ａ及び下流壁面１０ｂの縁部における、内周側側面１０ｃ−２の中間部分に接する部分は、直線状である。また、上流壁面１０ａ及び下流壁面１０ｂの縁部における、接続部１０の外周側側面１０ｃ−１に接する部分は、Ｖ字状に湾曲している。
【００６４】
［効果］
第４実施形態の混合装置１においても、第１〜第３実施形態と同様の効果が得られる。
また、接続部１０の排気の流路には、上流側開口３０に沿った幅が、上流側開口３０の径よりも狭い部分が設けられている。このため、接続部１０を流下する排気の流速を早めることができ、より一層、排気中に還元剤を良好に拡散させることができる。
【００６５】
［他の実施形態］
（１）第１〜第４実施形態において、接続部１０は、側面視すると、上流領域１２と下流領域１３とにおいて屈曲している。しかし、接続部１０は、側面視した際、上流領域１２と下流領域１３との双方又は一方にて湾曲していていも良い。具体的には、例えば、図１０のように、接続部１０は、側面視した際、上流領域１２と下流領域１３との双方で湾曲していていも良い。このような場合であっても、同様の効果が得られる。
【００６６】
（２）第１〜第４実施形態では、混合装置１、上流管３、及び、下流管４は、上流側中心線３０ａの向きと下流側中心線４３ａの向きとが、同一又は略同一となるよう構成されている。しかし、混合装置１、上流管３、及び、下流管４は、上流側中心線３０ａの向きと下流側中心線４３ａの向きとが異なるよう構成されていても良い。また、上流管３の終端区間３１は、上流側中心線３０ａの向きに延びていても良いし、これとは異なる向きに延びていても良い。また、下流管４の始端区間４２は、下流側中心線４３ａの向きに延びていても良いし、これとは異なる向きに延びていても良い。
【００６７】
（３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００６８】
１…混合装置、２…注入部、３…上流管、４…下流管、１０…接続部、１０ａ…上流壁面、１０ｂ…下流壁面、１０ｃ…側壁、１０ｃ−１…外周側側面、１０ｃ−２…内周側側面、１１…交差面、１２…上流領域、１３…下流領域、１４…ピーク部、１５…突出領域、２０…孔部、３０…上流側開口、３０ａ…上流側中心線、３０ｂ…基準面、４０…浄化装置、４３…下流側開口、４３ａ…下流側中心線。
【図１】
2019120197.tif 000003
【図２】
2019120197.tif 000004
【図３】
2019120197.tif 000005
【図４】
2019120197.tif 000006
【図５】
2019120197.tif 000007
【図６】
2019120197.tif 000008
【図７】
2019120197.tif 000009
【図８】
2019120197.tif 000010
【図９】
2019120197.tif 000011
【図１０】
2019120197.tif 000012